(57)【要約】【課題】  可動レンズを手動で移動可能にし、撮影時の電力を節約する。【解決手段】  固定筒１０と、固定筒１０に螺合して光軸方向へ移動しながら回転する回転筒２０と、固定筒１０の外周側で光軸方向へ移動することなく回転筒２０と一体的に回転する回転操作筒２５と、回転筒２０の回転に連動して光軸方向へ進退する可動レンズ筒６０と、固定筒１０に支持されたスイッチ７０と、撮影用電源をオンオフする制御部９０とを備え、回転操作筒２５には、初期位置から所定量回転した位置でスイッチ７０を操作するスイッチ操作部２５ａ１，２５ａ２，２５ａ３が設けられ、制御部９０は、前記スイッチの信号に応じて撮影用電源をオンにする。【選択図】  図１
2019028295.tif 000002
【特許請求の範囲】
【請求項１】
固定筒と、前記固定筒に螺合して光軸方向へ移動しながら回転する回転筒と、前記固定筒の外周側で光軸方向へ移動することなく前記回転筒と一体的に回転する回転操作筒と、前記回転筒の回転に連動して光軸方向へ進退する可動レンズ筒と、前記固定筒に支持されたスイッチと、撮影用電源をオンオフする制御部とを備え、
前記回転操作筒には、初期位置から所定量回転した位置で前記スイッチを操作するスイッチ操作部が設けられ、
前記制御部は、前記スイッチの信号に応じて撮影用電源をオンにすることを特徴とする可動レンズ連動スイッチ機構。
【請求項２】
前記制御部は、前記回転操作筒の一方向の回転中、前記スイッチの信号が所定時間以上オンである場合に、前記撮影用電源をオンにすることを特徴とする請求項１記載の可動レンズ連動スイッチ機構。
【請求項３】
前記スイッチ操作部は、前記回転操作筒の一方向の回転中に前記スイッチが複数回操作されるように、周方向に間隔を置いて複数設けられ、
前記制御部は、前記回転操作筒の一方向の回転中、前記スイッチの信号が２回以上オンになり、且つ２回目以降の信号が所定時間以上オンである場合に、前記撮影用電源をオンにすることを特徴とする請求項１記載の可動レンズ連動スイッチ機構。
【請求項４】
前記制御部は、前記スイッチの信号がオンになる回数に応じて、前記可動レンズ筒の光軸方向の位置を認識することを特徴とする請求項３記載の可動レンズ連動スイッチ機構。
【請求項５】
前記制御部は、前記回転操作筒が初期位置に戻された際に、撮影用電源をオフにした初期状態にリセットされることを特徴とする請求項１〜４何れか１項記載の可動レンズ連動スイッチ機構。
【請求項６】
前記固定筒と前記回転操作筒の間には、前記スイッチが前記スイッチ操作部により操作されるのと略同時に前記回転操作筒の回転に抵抗を付与するクリック機構が設けられ、
前記クリック機構は、前記固定筒と前記回転操作筒のうち、その一方側に設けられた係脱凹部と、その他方側に設けられて前記係脱凹部に弾性的に係脱する係脱凸部とを具備していることを特徴とする請求項１〜５何れか１項記載の可動レンズ連動スイッチ機構。
【請求項７】
請求項１〜６何れか１項記載の可動レンズ連動スイッチ機構を備えた撮像装置。
【発明の詳細な説明】
【技術分野】
【０００１】
本発明は、手動で光軸方向へ移動する可動レンズに連動させて、撮影用の電源をオンするようにした可動レンズ連動スイッチ機構、及びこの可動レンズ連動スイッチ機構を備えた撮像装置に関するものである。
【背景技術】
【０００２】
従来の可動レンズ機構には、例えば特許文献１に記載されるように、内周部に固定ヘリコイドを有する固定筒と、前記固定ヘリコイドに回転ヘリコイドを螺合させて光軸方向へ移動しながら回転する回転筒と、前記固定筒の外周側で前記回転筒を駆動回転する駆動源（モータ及び歯車等）と、回転筒の回転位置を感知する感知ユニットと、前記回転筒の回転に連動して光軸方向へ進退する可動レンズ筒とを備えたものがある。
この従来技術によれば、簡素で小型な構造でもって、回転筒の回転位置を検出しながら、可動レンズ筒の位置を高精度に制御することができる。
【先行技術文献】
【特許文献】
【０００３】
【特許文献１】特開２０１４−１１９５８２号公報
【発明の概要】
【発明が解決しようとする課題】
【０００４】
しかしながら、前記従来技術によれば、前記駆動源としてモータや、このモータを高精度に制御するモータドライバ及び制御回路等により、部品コスト及び製造コスト等が増大するおそれがある。
そこで、手動操作により可動レンズ筒を移動させる機構が提案されるが、このようにした場合でも、シャッター羽根や撮像素子を動作させるために電源が必要であり、この電源の電力を節約しながら良好な動作性を得るには工夫を要する。
【課題を解決するための手段】
【０００５】
このような課題を解決するために、本発明は以下の構成を具備するものである。
固定筒と、前記固定筒に螺合して光軸方向へ移動しながら回転する回転筒と、前記固定筒の外周側で光軸方向へ移動することなく前記回転筒と一体的に回転する回転操作筒と、前記回転筒の回転に連動して光軸方向へ進退する可動レンズ筒と、前記固定筒に支持されたスイッチと、撮影用電源をオンオフする制御部とを備え、前記回転操作筒には、初期位置から所定量回転した位置で前記スイッチを操作するスイッチ操作部が設けられ、前記制御部は、前記スイッチの信号に応じて撮影用電源をオンにすることを特徴とする可動レンズ連動スイッチ機構。
【図面の簡単な説明】
【０００６】
【図１】本発明に係る可動レンズ連動スイッチ機構の一例について、可動レンズの突出状態を示す斜視図である。
【図２】同可動レンズ連動スイッチ機構について、可動レンズの没入状態を示す縦断面図である。
【図３】同可動レンズ連動スイッチ機構について、可動レンズの突出状態を示す縦断面図であり、回転操作筒を外した状態を示す。
【図４】同可動レンズ連動スイッチ機構の分解斜視図である。
【図５】回転操作筒の内筒を斜め後ろから視た斜視図である。
【図６】回転操作筒の外筒を斜め後ろから視た斜視図である。
【図７】スイッチ及びクリック機構の係脱状態を前方側から視た横断面図であり、（ａ）は近景撮影位置、（ｂ）はマクロ撮影位置である。
【図８】スイッチ操作と電源供給の関係を示すタイムチャートであり、（ａ）は近景撮影位置にて撮影用電源がオンになる過程を示し、（ｂ）はマクロ撮影位置にて撮影用電源がオンになる過程を示す。
【図９】本発明に係るレンズ位置検出構造を備えた撮像装置の一例を示す斜視図である。
【発明を実施するための形態】
【０００７】
以下、図面を参照して本発明の実施形態を説明する。以下の説明で異なる図における同一符号は同一機能の部位を示しており、各図における重複説明は適宜省略する。
なお、以下の説明では、レンズが突出する方向側（図２によれば左方向側）を「前」と称し、その逆方向側を「後」と称する場合がある。
【０００８】
図１〜図７は、本発明の第１の実施態様である可動レンズ連動スイッチ機構１を示している。
レンズ位置検出構造１は、内周部に固定ヘリコイド１１を有する固定筒１０と、固定ヘリコイド１１に対し回転ヘリコイド２１を螺合させて光軸方向へ移動しながら回転する回転筒２０と、固定筒１０の外周側で光軸方向へ移動することなく回転筒２０と一体的に回転する回転操作筒２５と、回転筒２０と一体的に進退するように回転筒２０内に装着された第１直進筒３０と、第１直進筒３０内のヘリコイド３２に螺合して回転しながら進退するカム筒４０と、カム筒４０と一体的に進退するようにカム筒４０内に装着された第２直進筒５０と、回転筒２０の回転に連動するカム筒４０の回転に伴い光軸方向へ進退する可動レンズ筒６０と、固定筒１０に支持されたスイッチ７０と、スイッチ７０が操作されるのと略同時に回転操作筒２５の回転に抵抗を付与するクリック機構８０と、撮影用電源をオンオフする制御部９０とを備えている。
そして、この可動レンズ連動スイッチ機構１は、手動操作により回転する回転操作筒２５に連動して回転筒２０を回転させることによって可動レンズ筒６０を光軸方向へ移動して、所定位置（沈胴位置、近景撮影位置、マクロ撮影位置等）にする。
【０００９】
固定筒１０は、円筒状に形成され、その内周面に、固定ヘリコイド１１と、ガイド溝１２を有する（図４参照）。
また、この固定筒１０の周壁には、後述する回転筒２０の係合ピン２３を係合させる傾斜長孔１６と、回転操作筒２５（詳細には内筒２５ａ）のガイド溝２５ａ８に嵌り合う突起１７が設けられる。
この固定筒１０は、撮像装置の本体ケース等に対し回転不能に装着される。
【００１０】
固定ヘリコイド１１は、光軸周りを旋回する複数の螺旋条１１ａから形成され、後述する回転筒２０の回転ヘリコイド２１に螺合する。
ガイド溝１２は、固定ヘリコイド１１を構成する複数の螺旋条１１ａを切欠するようにして、光軸に沿う直線状に設けられる。
また、傾斜長孔１６は、固定筒１０の周壁を貫通するとともに螺旋状に傾斜して延設された長孔であり、固定筒１０の周方向に間隔を置いて複数（図示例によれば３つ）設けられる。
【００１１】
回転筒２０は、固定筒１０内に前方側から嵌り合う円筒状に形成され、その後端側の外周面に位置する回転ヘリコイド２１と、該回転筒２０の内周面に位置するガイド溝２２とを有する（図４参照）。
【００１２】
回転ヘリコイド２１は、固定ヘリコイド１１に嵌り合う複数の螺旋条によって形成される。
ガイド溝２２は、回転筒２０の内周面に、周方向に間隔を置いて複数設けられる。各ガイド溝２２は、光軸に沿って直線状に延びる凹状の溝であり、後述するカム筒４０の係合ピン４２に嵌り合う。
【００１３】
回転操作筒２５は、固定筒１０の外周部に前方側から嵌り合う内筒２５ａと、この内筒２５ａの外周部に一体的に固定された外筒２５ｂとから一体回転可能に構成される。
【００１４】
内筒２５ａの外周面には、初期位置から所定量回転した位置でスイッチ７０を操作する複数のスイッチ操作部２５ａ１，２５ａ２，２５ａ３と、クリック機構８０を構成する複数の係脱凹部２５ａ４，２５ａ５，２５ａ６とが設けられる。
【００１５】
スイッチ操作部２５ａ１，２５ａ２，２５ａ３の各々は、内筒２５ａの外周面に形成された凹部である。
これらスイッチ操作部２５ａ１，２５ａ２，２５ａ３は、可動レンズ筒６０の前進中にスイッチ７０が複数回操作されるように、周方向に所定の間隔を置いて配設される。
【００１６】
スイッチ操作部２５ａ１は、図２に示す初期位置（沈胴位置）から、可動レンズ筒６０が若干量前進した位置で、スイッチ７０を操作するように配置される。
他のスイッチ操作部２５ａ２は、さらに可動レンズ筒６０が突出して近景撮影位置（図７（ａ）参照）になった際に、スイッチ７０を操作するように配置される。
他のスイッチ操作部２５ａ３は、さらに可動レンズ筒６０が突出してマクロ撮影位置（図７（ｂ）参照）になった際に、スイッチ７０を操作するように配置される。
【００１７】
係脱凹部２５ａ４，２５ａ５，２５ａ６は、内筒２５ａの外周面において、スイッチ操作部２５ａ１，２５ａ２，２５ａ３とは異なる位置に周方向に間隔を置いて設けられ、後述するクリック機構８０の係脱凸部８１に係脱する。
係脱凹部２５ａ４は、可動レンズ筒６０が沈胴位置（図２参照）にある際に、係脱凸部８１に嵌り合うように配置される。
他の係脱凹部２５ａ５は、可動レンズ筒６０が近景撮影位置（図７（ａ）参照）にある際に、係脱凸部８１に嵌り合うように配置され、図示例によればスイッチ操作部２５ａ２に対し周方向へ略１８０度ずれて位置する。
他の係脱凹部２５ａ６は、可動レンズ筒６０がマクロ撮影位置（図７（ｂ）参照）にある際に、係脱凸部８１に嵌り合うように配置され、図示例によればスイッチ操作部２５ａ３に対し周方向へ略１８０度ずれて位置する。
【００１８】
また、内筒２５ａの内周面には、回転筒２０の係合ピン２３に嵌り合う係合溝２５ａ７と、固定筒１０外周面の突起１７に嵌り合うガイド溝２５ａ８が設けられる。
係合溝２５ａ７は、光軸方向へ連続する溝であり、回転操作筒２５の回転に伴い、回転筒２０を回転させながら光軸方向へ移動するように案内する。
ガイド溝２５ａ８は、周方向へ連続する溝であり、固定筒１０に対し回転操作筒２５を進退することなく回転するように案内する。
【００１９】
外筒２５ｂは、その外周面に、手で把持された際に滑り止めとなる凹凸を有する筒であり、回転操作筒２５の外周部に一体的に固定されている。
なお、他例としては、内筒２５ａと外筒２５ｂを一体の部材とすることが可能である。
【００２０】
第１直進筒３０は、回転筒２０内に後方側から嵌り合う円筒状に形成され（図４参照）、係合片３１と、ヘリコイド３２と、傾斜長孔３３と、ガイド溝３４とを有する。
この第１直進筒３０は、回転筒２０に対し、前後方向へ移動不動であって且つ相対的に回転するように係合している。
【００２１】
係合片３１は、第１直進筒３０外周面の後端側において径外方向へ突出しており、固定筒１０のガイド溝１２に係合している。
したがって、第１直進筒３０は、回転筒２０が固定筒１０に対し回転した際に、固定筒１０に対しては回転せずに光軸方向へ直進する。
【００２２】
ヘリコイド３２は、光軸周りを旋回する複数の螺旋条から形成される。
傾斜長孔３３は、第１直進筒３０の周壁を貫通するとともに螺旋状に延設された長孔であり、第１直進筒３０の周方向に間隔を置いて複数設けられる。
ガイド溝３４は、ヘリコイド３２を構成する複数の螺旋条を切欠するようにして、光軸に沿う直線状に設けられる。
【００２３】
カム筒４０は、第１直進筒３０内に前方側から嵌り合う円筒状に形成され、その後端側の外周面に位置するヘリコイド４１と、ヘリコイド４１の後端側から径外方向へ突出する係合ピン４２と、該カム筒４０の内周面に周方向に間隔を置いて設けられた複数のカム部４３とを有する（図４参照）。
ヘリコイド４１は、第１直進筒３０のヘリコイド３２に嵌り合う複数の螺旋条から形成される。
係合ピン４２は、周方向に間隔を置いて複数設けられる。各係合ピン４２は、第１直進筒３０の傾斜長孔３３を貫通し回転筒２０のガイド溝２２に嵌り合う。
カム部４３は、カム筒４０の内周面に、周方向に間隔を置いて複数設けられる。各カム部４３は、可動レンズ筒６０の係合部６１に嵌り合って該係合部６１にカム作用を及ぼす。このカム部４３の基本構造は、特許文献１に記載される発明のものと略同様の構成とすることが可能である。
【００２４】
第２直進筒５０は、カム筒４０内にその後方側から嵌り合う円筒状に形成され、周方向に間隔を置いて設けられた複数の係合片５１及びガイド長孔５２を有する（図４参照）。
各係合片５１は、第２直進筒５０外周面の後端側において径外方向へ突出しており、第１直進筒３０内で前後方向へ延びるガイド溝３４に嵌り合う。
この第２直進筒５０は、カム筒４０に対し、前後方向へ移動不動であって且つ相対的に回転するように係合している。
したがって、回転筒２０と連動してカム筒４０が回転すると、第２直進筒５０は、回転することなく光軸方向へ直進する。
また、各ガイド長孔５２は、第２直進筒５０の周壁を貫通するとともに前後方向へ直線状に延設されている。
【００２５】
可動レンズ筒６０は、カム筒４０内に嵌り合うとともに該カム筒４０から前方へ突出する円筒状に形成され、その外周面の後端側に、径外方向へ突出するピン状の係合部６１（フォロワピンと称する場合もある）を有する（図４参照）。
係合部６１は、周方向に間隔を置いて複数設けられる。各係合部６１は、第２直進筒５０のガイド長孔５２に挿通され、その先端側を、カム筒４０のカム部４３に嵌め合せている。
この可動レンズ筒６０内には、周知の絞り機構及びシャッタユニット等が設けられている。これらの内部構造は、例えば、特許文献１に開示されるものを用いることが可能である。
【００２６】
これまでの構成によれば、手動操作により回転操作筒２５を一方向へ回転させると、この回転力が係合溝２５ａ７及び係合ピン２３により伝達されて、回転筒２０も同方向へ回転する。すると、回転筒２０の回転ヘリコイド２１が固定筒１０の固定ヘリコイド１１に摺接して、回転筒２０は前記回転をしながら前進する。
この際、第１直進筒３０は、係合片３１を固定筒１０の回転ヘリコイド２１に嵌め合わせているので、回転せずに、回転筒２０と一体的に前進する。
前述した回転筒２０の回転力は、回転筒２０内のガイド溝２２を介して係合ピン４２に伝達され、カム筒４０を同方向へ回転させる。
カム筒４０は、その外周のヘリコイド４１を、第１直進筒３０の傾斜長孔３３に挿通して回転筒２０のガイド溝２２に嵌め合わせて、回転筒２０と一体的に回転しながら、第１直進筒３０に相対して前進する。
この際、第２直進筒５０は、係合片５１を第１直進筒３０のガイド溝３４に嵌め合わせているので、回転せずに、カム筒４０と一体的に前進する。
さらに、カム筒４０の回転力は、カム筒４０内のカム部４３を介して可動レンズ筒６０の係合部６１に伝達され、可動レンズ筒６０がカム部４３の形状に応じた直進運動をする。
【００２７】
また、スイッチ７０は、回転操作筒２５（内筒２５ａ）の径方向内側へ突出するアクチュエータ７１と、このアクチュエータ７１の前記径方向への進退により接点信号を出力する出力端子７２とを備えたマイクロスイッチである（図７参照）。
このスイッチ７０は、アクチュエータ７１の突端を内筒２５ａ外周面に当接した状態でオフになり、同突端を内筒２５ａ外周面のスイッチ操作部２５ａ１〜２５ａ３に嵌め合わせた状態でオンになる。
このスイッチ７０の出力端子７２は、制御部９０に電気的に接続されている。
【００２８】
クリック機構８０は、回転操作筒２５（内筒２５ａ）外周の係脱凹部２５ａ４，２５ａ５，２５ａ６と、これら凹部に弾性的に係脱するように径方向へ移動可能な係脱凸部８１（例えば球体）と、係脱凸部８１を径方向内側へ弾発する付勢部材８２（例えば圧縮コイルスプイング）と、係脱凸部８１及び付勢部材８２を支持する支持ケース８３とを備えている。
支持ケース８３は、内筒２５ａよりも後側で固定筒１０の外周部に固定され、内筒２５ａの外周部に重なる位置に、係脱凸部８１及び付勢部材８２を支持している。
【００２９】
制御部９０は、例えば、マイコンや記憶装置等を備えた制御回路とすればよく、スイッチ７０の信号等に応じて撮影用電源（図示せず）を制御する。前記撮影用電源は、可動レンズ筒６０内の絞り機構及びシャッタユニット、撮像素子等を動作させるための電源回路である。
詳細に説明すれば、制御部９０は、回転操作筒２５の一方向の回転中、スイッチ７０の信号が２回以上オンになり、且つ２回目以降の信号が所定時間以上オンである場合に、撮影用電源をオンにして、可動レンズ連動スイッチ機構１を撮影可能な状態にする。
また、制御部９０は、前記のようにして撮影用電源をオンにした際に、スイッチ７０の信号がオンになった回数に応じて、可動レンズ筒６０の光軸方向の位置（近景撮影位置又はマクロ撮影位置）を認識し、この位置認識に応じて、例えば図示しないストロボの光量調整等、適宜な制御を行う。
また、この制御部９０は、回転操作筒２５が初期位置に戻されて可動レンズ筒６０が沈胴位置になった際に、前記撮影用電源をオフにした初期状態にリセットされる。
【００３０】
次に、上記構成の可動レンズ連動スイッチ機構１について、その特徴的な動作及び作用効果を詳細に説明する。
先ず、初期状態を沈胴位置（図２に示す状態）とすると、この初期状態において、スイッチ７０は、接点をオフ状態にしている（図８参照）。
【００３１】
前記初期状態から、回転操作筒２５が手動で一方向へ回されると、可動レンズ筒６０が前進するとともに、クリック機構８０が係脱凸部８１を係脱凹部２５ａ４から外した離脱状態になり、その少し後に、スイッチ７０がスイッチ操作部２５ａ１に係合してオン信号を出力する（図８（ａ）（ｂ）参照）。このオン信号は、制御部９０に一時的に記憶される。このとき、係脱凸部８１が係脱凹部２５ａ４と係脱凹部２５ａ５の間にあるので、クリック機構８０によるクリック感は発生しない。このため、スイッチ操作部２５ａ１によるオン信号の出力時間を比較的短くすることができる。
【００３２】
回転操作筒２５が手動で前記一方向へさらに回されると、スイッチ７０がスイッチ操作部２５ａ２に係合して二回目のオンになるのと略同時に、クリック機構８０の係脱凸部８１と係脱凹部２５ａ５が係合して（図７（ａ）参照）、操作者にクリック感を与える。
この際、制御部９０は、前記二回目のオン信号が所定時間以上継続するか否かを判断し、所定時間以上継続している場合には、その所定時間の経過後に前記撮影用電源をオンにするとともに、可動レンズ筒６０が近景撮影位置にあるものと認識し（図８（ａ）参照）、その位置認識に基づく制御（例えばストロボ光量調整等）を行う。
前記撮影用電源は、前記のようにしてオンされた後、予め設定された時間経過後にオフにされる。
【００３３】
前記二回目のオン信号が所定時間以上継続しなかった場合、回転操作筒２５が手動で前記一方向へさらに回されて、スイッチ７０がスイッチ操作部２５ａ２に係合して三回目のオンになると、この三回目のオンと略同時に、クリック機構８０の係脱凸部８１と係脱凹部２５ａ６が係合して（図７（ｂ）参照）、操作者にクリック感を与える。
この際、制御部９０は、前記三回目のオン信号が所定時間以上継続するか否かを判断し、所定時間以上継続している場合には、その所定時間の経過後に前記撮影用電源をオンにするとともに、可動レンズ筒６０がマクロ撮影位置にあるものと認識し（図８（ｂ）参照）、その位置認識に基づく制御（例えばストロボ光量調整等）を行う。
前記撮影用電源は、前記のようにしてオンされた後、予め設定された時間経過後にオフにされる。
【００３４】
なお、制御部９０は、前記三回目のオン信号が所定時間以上継続しなかった場合には、前記撮影用電源のオフ状態を維持する。
また、制御部９０は、回転操作筒２５の逆方向への回転操作により、可動レンズ筒６０が初期位置（沈胴位置）に戻された場合には、初期状態にリセットされる。
【００３５】
よって、上記構成の可動レンズ連動スイッチ機構１によれば、手動操作性の良好な簡素構造により可動レンズを前後方向へ移動できる上、必要時にのみ撮影電源をオンにできるので省電力である。また、可動レンズ筒６０の前後位置を高精度に認識することができる。
【００３６】
そして、上記可動レンズ連動スイッチ機構１は、例えば、図９に示す撮像装置Ａに組み込まれる。この撮像装置Ａは、ケースａ１の前面部に上述した可動レンズ連動スイッチ機構１を装着することで、単焦点式のカメラを構成している。
この撮像装置Ａによれば、上記構成の可動レンズ連動スイッチ機構１を用いているため、操作性の良好な簡素構造によって可動レンズを前後動できる上、撮影時の電力消費が比較的少なく、可動レンズ筒６０の前後位置を容易かつ高精度に認識することができる。
【００３７】
なお、上記実施の形態では、遠景撮影位置に関する構成を省略しているが、この遠景撮影位置に関する構成は、前記近景撮影位置及び前記マクロ撮影位置に関する構成と略同様の基本構造を適用することが可能である。
【００３８】
また、上記実施の形態によれば、特に好ましい態様として、１回目のスイッチ７０のオンでは撮影用電源がオンにならない構成としたが、他例としては、１回目のスイッチ７０のオンで撮影用電源をオンにする態様や、スイッチ７０についての図示例以外のオンオフパターンにより撮影用電源をオンにする態様等とすることも可能である。
【００３９】
また、上記実施の形態によれば、回転操作筒２５が初期位置に戻されることで、制御部９０が初期状態にリセットされるようにしたが、他例としては、回転操作筒２５が初期位置に戻る際のスイッチ７０のオンオフパターンに応じて、撮影用電源の制御や、可動レンズ筒６０の位置認識が行われるようにすることも可能である。
【００４０】
以上、本発明の実施の形態について詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００４１】
１：可動レンズ連動スイッチ機構
１０：固定筒
２０：回転筒
２５：回転操作筒
２５ａ１，２５ａ２，２５ａ３：スイッチ操作部
２５ａ４，２５ａ５，２５ａ６：係脱凹部
３０：第１直進筒
４０：カム筒
５０：第２直進筒
６０：可動レンズ筒
７０：スイッチ
８０：クリック機構
９０：制御部
【図１】
2019028295.tif 000003
【図２】
2019028295.tif 000004
【図３】
2019028295.tif 000005
【図４】
2019028295.tif 000006
【図５】
2019028295.tif 000007
【図６】
2019028295.tif 000008
【図７】
2019028295.tif 000009
【図８】
2019028295.tif 000010
【図９】
2019028295.tif 000011